【手続補正書】
【提出日】平成15年9月17日(2003.9.17)
【手続補正１】
【補正対象書類名】明細書
【補正対象項目名】特許請求の範囲
【補正方法】変更
【補正の内容】
【特許請求の範囲】
【請求項１】
遠隔通信スイッチ(10)又は遠隔通信システムのノードで使用するための通信サービスカード(33)であって、前記遠隔通信スイッチが、ホストにより生成されたメッセージに応じて複数のポートのうちの様々なポート間の通信経路の接続及び切断を動的に行うための制御可能なスイッチング手段(26a)を備えており、該制御可能なスイッチング手段(26a)が、前記ポートに対応する複数のタイムスロットを切り換えるタイムスロット交換手段(ＴＳＩ)(64)と前記メッセージを処理する手段(54)とを備えており、該制御可能なスイッチング手段(26a)がＴＤＭバス(42)と通信可能な関係にあり、前記ポートを表すアナログ又はディジタルライン又はトランクを１つ又は２つ以上の終端手段(18)が終端させ、該終端手段(18)が前記バスに接続され、該バスが前記制御可能なスイッチング手段(26a)から前記終端手段(18)へ情報を伝達するための第１の経路（42b）と前記終端手段から前記制御可能なスイッチング手段へ情報を伝達するための第２の経路（42a）とを有しており、該通信サービスカードが、
複数のディジタル信号処理モジュール(105)であって、その各々が、流入タイムスロットとして構成されるデータを処理する能力を有すると共に、受信したデータを組み合わせて内部に格納するタイムスロット交換（ＴＳＩ）回路(101)によりデータを受信し、該ＴＳＩ回路の各々が互いに並列に配置され、該ＴＳＩ回路が受信データを格納し、該ＴＳＩ回路の各々が、処理されたデータからなる選択可能な量の流出タイムスロットであって前記複数のポートのうちの任意のポート宛の流出タイムスロットを前記ＴＤＭバス42上に送信する、複数の信号処理モジュール(105)と、
前記モジュールの各々と通信可能な関係で接続されたタイミング及び制御バス(46)であって、複数のＴＳＩ回路内への受信データの格納と該ＴＳＩ回路から前記ＴＤＭバス42上へのデータの送信とを制御し、これにより、１つのＴＳＩ回路から送信された前記所定量のタイムスロットが、１つのタイムスロットのうち、前記量の流出タイムスロットのビット数に対応する部分に配置されて、前記複数のポートのうちの１つ宛にされる、タイミング及び制御バス(46)と
を備えていることを特徴とする、通信サービスカード(33)。
【請求項２】
複数のディジタル信号プロセッサ(104,105,106)を備えており、該ディジタル信号プロセッサの各々が、前記ＴＳＩ回路(100,101,102)のうちの１つ及び中央処理装置(66)と通信可能な関係で接続されており、前記ＴＳＩ回路に格納されているデータについてプログラム可能なデータ処理機能を実行するようになっていることを更に特徴とする、請求項１に記載の通信サービスカード(33)。
【請求項３】
前記プログラム可能なデータ処理が、サブレートスイッチング、トーン生成、トーン検出、コールプログレス分析、記録された通知の再生、言語認識、圧縮、コンファレンシング、ＩＳＤＮ呼出制御、又は音声作動符号化のうちの１つからなることを更に特徴とする、請求項２に記載の通信サービスカード(33)。
【請求項４】
前記所定量の流出タイムスロットが、ゼロから該流出タイムスロットに含まれるビットの最大数までの範囲にあることを更に特徴とする、請求項１に記載の通信サービスカード(33)。
【請求項５】
第１の処理グループが、前記８つのＴＳＩ回路(100,101,102)のうちの第１のＴＳＩ回路と、前記８つのディジタル信号プロセッサ(104,105,106)のうちの第１のディジタル信号プロセッサとから構成されて、流入タイムスロットの４ビットについて第１のデータ処理機能を実行し、第２の処理グループが、前記８つのＴＳＩ回路のうちの第２のＴＳＩ回路と、前記８つのディジタル信号プロセッサのうちの第２のディジタル信号プロセッサとから構成されて、第２の４ビット信号について第２のデータ処理機能を実行することを更に特徴とする、請求項５に記載の通信サービスカード(33)。
【請求項６】
第１の処理グループが、前記８つのＴＳＩ回路のうちの４つのＴＳＩ回路と、前記８つのディジタル信号プロセッサのうちの４つのディジタル信号プロセッサとから構成されて、流入タイムスロットの４ビットについて第１のデータ処理機能を実行し、第２の処理グループが、前記８つのＴＳＩ回路の残りの４つのＴＳＩ回路と、前記８つのディジタル信号プロセッサの残りの４つのディジタル信号プロセッサとから構成されて、第２の４ビット信号について第２のデータ処理機能を実行することを更に特徴とする、請求項５に記載の通信サービスカード(33)。
【請求項７】
前記遠隔通信スイッチが、複数の他の遠隔通信スイッチ又は遠隔通信システムを形成するノードと通信可能な関係でノード間ネットワーク(29a)により接続されることを更に特徴とする、請求項１に記載の通信サービスカード。
【請求項８】
前記ＴＳＩ回路により受信されるデータが前記ノード間ネットワーク(29a)から受信され、前記ＴＳＩ回路により送信されるデータが前記ノード間ネットワークへと送信されることを更に特徴とする、請求項７に記載の通信サービスカード。
【請求項９】
遠隔通信スイッチ(10)又は遠隔通信システムのノードにおいて単一のカード(33)で通信サービスを提供する方法であって、前記遠隔通信スイッチが、ホストにより生成されたメッセージに応じて複数のポートのうちの様々なポート間の通信経路の接続及び切断を動的に行うための制御可能なスイッチング手段(26a)を有しており、該制御可能なスイッチング手段(26a)が、前記ポートに対応する複数のタイムスロットを切り換えるタイムスロット交換手段(ＴＳＩ)(101)と前記メッセージを処理する手段とを備えており、該制御可能なスイッチング手段(26a)がＴＤＭバス(42)と通信可能な関係にあり、前記ポートを表すアナログ又はディジタルライン又はトランクを１つ又は２つ以上の終端手段(18)が終端させ、該終端手段(18)が前記バスに接続され、該バスが前記制御可能なスイッチング手段から前記終端手段へ情報を伝達するための第１の経路（42b）と前記終端手段から前記制御可能なスイッチング手段へ情報を伝達するための第２の経路（42a）とを有しており、前記単一のカードが複数のディジタル信号処理モジュール(105)を有しており、その各モジュールがタイムスロット交換手段及びプログラム可能なデータプロセッサを備えており、各モジュールのタイムスロット交換手段がタイムスイッチングバスに対して並列に通信可能な関係で接続されており、該方法が、
Ａ．複数のディジタル信号を構成するタイムスイッチングバスから第１のタイムスロットを受信し、
Ｂ．該第１のタイムスロットを前記タイムスロット交換手段の各々に格納し、
Ｃ．前記複数のディジタル信号の１つ又は２つ以上にプログラム可能なデータ処理機能を実行して１つ又は２つ以上の処理済みディジタル信号を提供し、
Ｄ．１つ又は２つ以上の前記処理済みディジタル信号を前記第１のタイムスロット交換手段に格納し、
Ｅ．前記１つ又は２つ以上の処理済みディジタル信号からなる第２のタイムスロットを前記タイムスロット交換手段から前記タイムスイッチングバスへ送信する、
という各ステップを有することを特徴とする、通信サービスの提供方法。
【請求項１０】
前記複数のディジタル信号のうちの選択された信号を組み合わせて、前記複数のディジタル信号処理モジュールのうちの選択された１つにおいて、選択されたビット長のディジタル処理機能を実行する、というステップを更に特徴とする、請求項９に記載の方法。